(57)【要約】【課題】振動による不具合を低減できる基板保持部を備える表示装置を提供する。【解決手段】ＣＯＦ３０を用いて所定の回路に接続されるＰＣＢ２０を保持する基板保持部４０を備える液晶ディスプレイ１０であって、基板保持部４０は、板状部材４１を用いて構成され、板状部材４１の平面に垂直なＺ方向にＰＣＢ２０が移動するのを制限する第一制限部と、板状部材４１の一部に形成された板バネ部５０とを有し、板バネ部５０は、ＰＣＢ２０が保持される側の表面に、前記保持のために、ＰＣＢ２０に接して第一制限部にＰＣＢ２０を押し付ける突出部５４を有し、第一方向に揺動可能な板バネ本体部５１と、板バネ本体部５１の周囲のうち、板バネ本体部５１を基板保持部４０に支持させる支持領域５２を除く板状部材４１の領域に形成された開口部５３とを有する。【選択図】図４
2014202830.tif 000002
【特許請求の範囲】
【請求項１】
ケーブルを用いて所定の回路に接続される基板を保持する基板保持部を備える表示装置であって、
前記基板保持部は、
板状部材を用いて構成され、
前記板状部材の平面に垂直な第一方向に前記基板が移動するのを制限する第一制限部と、
前記板状部材の一部に形成された板バネ部とを有し、
前記板バネ部は、
前記基板が保持される側の表面に、前記保持のために、前記基板に接して前記第一制限部に前記基板を押し付ける突出部を有し、前記第一方向に揺動可能な板バネ本体部と、
前記板バネ本体部の周囲のうち、前記板バネ本体部を前記基板保持部に支持させる支持領域を除く前記板状部材の領域に形成された開口部とを有する
表示装置。
【請求項２】
前記突出部は、前記板状部材の平面から離れるほど、前記板状部材の平面と平行な断面の断面積が小さくなる錐体状に形成されている
請求項１に記載の表示装置。
【請求項３】
前記突出部は、半球状に形成されている
請求項１または２に記載の表示装置。
【請求項４】
前記突出部は、前記基板に点接触する形状である
請求項１〜３の何れか１項に記載の表示装置。
【請求項５】
前記板バネ本体部の厚さは、前記板状部材における前記板バネ本体部を除く部分の厚さよりも薄い
請求項１〜４の何れか１項に記載の表示装置。
【請求項６】
さらに、
前記第一方向に垂直な第二方向への前記基板の移動を制限する第二制限部を備える
請求項１〜５の何れか１項に記載の表示装置。
【請求項７】
前記第二制限部は、前記板状部材の表面から前記第一方向に伸びる板状の部材で構成され、
前記第一制限部は、前記第二制限部の先端から前記第一方向に垂直な方向に伸びる板状の部材で構成されている
請求項６に記載の表示装置。
【請求項８】
前記板状部材は、樹脂で構成される
請求項１〜７の何れか１項に記載の表示装置。
【請求項９】
前記開口部は、前記板バネ本体部の周囲の３方向を囲むように形成されている
請求項１〜８の何れか１項に記載の表示装置。
【請求項１０】
前記支持領域は、
長方形状の第一領域と、
前記第一領域の一方の先端部分の長辺に設けられ、前記板状部材に接続する第一接続領域と、
前記第一領域の他方の先端部分の前記長辺に対向する辺に設けられ、前記板バネ本体部に接続する第二接続領域とを有する
請求項１〜８の何れか１項に記載の表示装置。
【発明の詳細な説明】
【技術分野】
【０００１】
本発明は、表示装置、特に、基板を保持するモジュールを備えた表示装置に関する。
【背景技術】
【０００２】
表示装置の一例である液晶ディスプレイは、例えば、液晶パネル、ＬＥＤ（Ｌｉｇｈｔ  Ｅｍｉｔｔｉｎｇ  Ｄｉｏｄｅ）等の光源、制御回路、電源回路、ＰＣＢ（Ｐｒｏｃｅｓｓ  Ｃｏｎｔｒｏｌ  Ｂｌｏｃｋ）、ＣＯＦ（Ｃｈｉｐ  Ｏｎ  Ｆｉｌｍ）、および、これらの部材を収納する筐体等を備えて構成されている。
【０００３】
制御回路は、液晶パネルを構成する各回路および機構を制御する回路である。
【０００４】
電源回路は、駆動回路および液晶パネルに対し、外部の電源からの交流電力を、駆動回路および液晶パネルで用いられる直流電力に変換して供給する回路である。
【０００５】
ＣＯＦは、ＩＣ（駆動回路の一例）を備え、制御回路からの信号を用いて液晶パネルを駆動する駆動信号を生成する。ＣＯＦは、液晶パネルとＰＣＢとの間に接続されている。
【０００６】
ＰＣＢは、制御回路からの信号を、ＣＯＦに搭載されたＩＣに出力する基板である。
【０００７】
ここで、図８は、液晶ディスプレイを背面から見たときの外観を示す外観図である。図９は、図８のＣＣ線部分の断面図である。図１０は、ＰＣＢを保持する構成を示す図である。なお、図８および図１０では、液晶ディスプレイ１００の液晶パネル（不図示）の横方向をＸ方向、縦方向をＹ方向、厚さ方向をＺ方向としている。
【０００８】
液晶ディスプレイ１００の筐体は、図８に示すように、リアフレーム１０１と、リアフレーム１０１の上部に設けられた蓋部１０２とを備えている。蓋部１０２は、図９および図１０に示すように、リアフレーム１１に取り付けられた状態で、ＰＣＢ２０を基板保持部１４０に押しつけて固定するガスケット１０３を備えている。ガスケット１０３のＰＣＢ２０に接する面には、クッション材（例えば、パッキン等）が備えられている。
【０００９】
また、筐体の内部には、図９に示すように、ＰＣＢ２０、および、ＰＣＢ２０を保持する基板保持部１４０が配置されている。基板保持部１４０は、板状部材１４１を用いて構成され、図１０に示すように、ＰＣＢ２０がＹ方向の逆方向およびＺ方向に移動するのを制限する鉤部１４２と、ＰＣＢ２０がＹ方向に移動するのを制限する鉤部１４３とを備えている。
【００１０】
上述したように、従来の液晶ディスプレイ１００では、ガスケット１０３により、ＰＣＢ２０を基板保持部１４０に固定していた。
【先行技術文献】
【特許文献】
【００１１】
【特許文献１】特開２０００−１１２３８７号公報
【発明の概要】
【発明が解決しようとする課題】
【００１２】
ところで、表示装置では、音声の出力時等に、筐体が振動する場合がある。
【００１３】
このとき、ＰＣＢが強固に固定されていると、ＣＯＦとＰＣＢとの接続部分が破断する等の不具合が生じる場合がある。
【００１４】
本発明は上述の課題を解決するためになされたものであり、振動による不具合を低減できる基板保持部を備える表示装置を提供することを目的とする。
【課題を解決するための手段】
【００１５】
上記目的を達成するために、本発明の一態様に係る表示装置は、ケーブルを用いて所定の回路に接続される基板を保持する基板保持部を備える表示装置であって、前記基板保持部は、板状部材を用いて構成され、前記板状部材の平面に垂直な第一方向に前記基板が移動するのを制限する第一制限部と、前記板状部材の一部に形成された板バネ部とを有し、前記板バネ部は、前記基板が保持される側の表面に、前記保持のために、前記基板に接して前記第一制限部に前記基板を押し付ける突出部を有し、前記第一方向に揺動可能な板バネ本体部と、前記板バネ本体部の周囲のうち、前記板バネ本体部を前記基板保持部に支持させる支持領域を除く前記板状部材の領域に形成された開口部とを有する。
【００１６】
上記構成の表示装置では、板バネ部の弾性力により、基板を第一制限部に押しつけ、緩やかに固定する。このように構成すれば、板バネ部に一定以上の力が加わると、基板が僅かに動くことが可能になる。
【００１７】
なお、図８〜図１０に示す従来の液晶ディスプレイ１００は、ガスケット１０３を用いてＰＣＢ２０を基板保持部１４０に押しつけて固定していたため、筐体が振動しても、基板の一例であるＰＣＢ２０は動くことができない。この場合は、ＰＣＢとＣＯＦとが破断する場合がある。
【００１８】
これに対し、上記構成の表示装置では、板バネ部に一定以上の力が加わると、基板が僅かに動くことができるため、表示装置が振動した場合でも、ＰＣＢとＣＯＦとが破断するのを低減することが可能になる。これにより、製品の歩留まりを向上させることが可能になる。
【００１９】
例えば、前記突出部は、前記板状部材の平面から離れるほど、前記板状部材の平面と平行な断面の断面積が小さくなる錐体状に形成されていても良い。
【００２０】
また、前記突出部は、半球状に形成されていても良い。
【００２１】
また、前記突出部は、前記基板に点接触する形状であっても良い。
【００２２】
また、前記板バネ本体部の厚さは、前記板状部材における前記板バネ本体部を除く部分の厚さよりも薄くても良い。
【００２３】
また、さらに、前記第一方向に垂直な第二方向への前記基板の移動を制限する第二制限部を備えても良い。
【００２４】
また、前記第二制限部は、前記板状部材の表面から前記第一方向に伸びる板状の部材で構成され、前記第一制限部は、前記第二制限部の先端から前記第一方向に垂直な方向に伸びる板状の部材で構成されていても良い。
【００２５】
また、前記板状部材は、樹脂で構成されても良い。
【００２６】
また、前記開口部は、前記板バネ本体部の周囲の３方向を囲むように形成されていても良い。
【００２７】
また、前記支持領域は、長方形状の第一領域と、前記第一領域の一方の先端部分の長辺に設けられ、前記板状部材に接続する第一接続領域と、前記第一領域の他方の先端部分の前記長辺に対向する辺に設けられ、前記板バネ本体部に接続する第二接続領域とを有しても良い。
【発明の効果】
【００２８】
本発明によると、振動による不具合を低減できる基板保持部を備える表示装置を提供することができる。
【図面の簡単な説明】
【００２９】
【図１】液晶ディスプレイを背面から見たときの外観を示す外観図である。
【図２】図１のＡＡ線部分の断面図である。
【図３】基板保持部の構成の一例を示す斜視図である。
【図４】基板保持部を基板が取り付けられる側から見た模式図である。
【図５】基板保持部の構成の一例を示す断面図である。
【図６】板バネ部の構成の他の一例を示す図である。
【図７】板バネ部の構成の他の一例を示す図である。
【図８】液晶ディスプレイを背面から見たときの外観を示す外観図である。
【図９】図８のＣＣ線部分の断面図である。
【図１０】基板保持部の構成の一例を示す図である。
【発明を実施するための形態】
【００３０】
以下、本発明の実施の形態について、図面を用いて詳細に説明する。なお、各図は、必ずしも各寸法あるいは各寸法比等を厳密に図示したものではない。
【００３１】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３２】
（実施の形態１）
実施の形態１の表示装置について、図１〜図４を基に説明する。
【００３３】
本実施の形態の表示装置は、フレキシブルケーブルを用いて所定の回路に接続される基板を保持する基板保持部を備える。本実施の形態では、表示装置が、液晶ディスプレイである場合を例に説明する。所定の回路は、例えば、液晶ディスプレイの制御回路である。
【００３４】
［１−１．液晶ディスプレイの構成］
本実施の形態の液晶ディスプレイの構成について、図１および図２を基に説明する。図１は、液晶ディスプレイ１０を背面から見たときの外観を示す外観図である。図２は、図１のＡＡ線の断面図である。
【００３５】
なお、以下の説明において、各図のＸ方向とは、液晶ディスプレイを構成する液晶パネルの横方向（リアフレーム側から見て、左から右に向かう方向）を示している。Ｙ方向とは、液晶パネルの縦方向（上方向、第二方向の逆方向に相当）を示している。Ｚ方向とは、液晶パネルの厚み方向（表面側から背面側に向かう方向、第一方向に相当）を示している。
【００３６】
液晶ディスプレイ１０は、表示装置の一例であり、液晶パネル（図示せず）、ＬＥＤ等の光源（図示せず）、制御回路（図示せず）、電源回路（図示せず）、ＰＣＢ２０、ＣＯＦ３０、基板保持部４０、および、これらの部材を収納する筐体等を備えて構成されている。
【００３７】
制御回路は、液晶パネルを構成する各回路および機構を制御する回路である。
【００３８】
電源回路は、駆動回路および液晶パネルに対し、外部の電源からの交流電力を、駆動回路および液晶パネルで用いられる直流電力に変換して供給する回路である。
【００３９】
ＰＣＢ２０は、基板の一例であり、制御回路（不図示）からの信号を、ＣＯＦ３０に搭載されたＩＣに出力する。ＰＣＢ２０は、ＣＯＦ３０（フレキシブルケーブルの一例）を介して、液晶パネルに接続されている。
【００４０】
ＣＯＦ３０は、ＩＣを搭載したフレキシブルケーブルであり、ＰＣＢ２０からの信号を用いて、液晶パネルを駆動する信号を生成し、液晶パネルに出力する。
【００４１】
基板保持部４０は、ＰＣＢ２０を保持する部材である。図２に示すように、基板保持部４０は、ＰＣＢ２０を保持した状態で、図１に示すリアフレーム１１の内部、蓋部１２を取り外したときに外部に露出する位置に配置されている。
【００４２】
液晶ディスプレイ１０の筐体は、図１に示すように、フロントキャビネット（不図示）、リアフレーム１１、および、リアフレーム１１の上部に設けられた蓋部１２等を備えている。
【００４３】
［１−２．基板保持部の構成］
基板保持部４０の構成について、図３〜図５を基に説明する。
【００４４】
図３は、ＰＣＢ２０を取り付けた状態の基板保持部４０の構成の一例を示す斜視図（一部）である。図４は、基板保持部４０をＰＣＢ２０が取り付けられる側から見た模式図（全体図）である。なお、図４では、基板保持部４０以外の構成（ＰＣＢ２０およびＣＯＦ３０）については、点線で示している。図５は、図３および図４のＢＢ線部分における断面図である。なお、図４および図５は、図３に示す基板保持部４０の板バネ部５０を簡略化して記載したものであり、各図の寸法等は厳密には一致しない。
【００４５】
基板保持部４０は、図３〜図５に示すように、板状部材４１を用いて構成され、鉤部４２および４３と、板バネ部５０とを備えている。なお、図３では図示しないが、基板保持部４０は、さらに、リアフレーム１１との接続部等を備えている。
【００４６】
鉤部４２は、板状部材４１の表面からＺ方向に伸びる板状の部材（第二制限部）と、第二制限部の先端からＺ方向に垂直な方向（図３ではＹ方向）に伸びる板状の部材（第一制限部）とで構成されている。鉤部４２の第一制限部は、板状部材４１側の面がＰＣＢ２０の表面に接触して、ＰＣＢ２０がＺ方向に移動するのを制限する。また、鉤部４２の第二制限部は、ＰＣＢ２０がＹ方向の逆方向に移動するのを制限する。本実施の形態では、鉤部４２は、板状部材４１と一体に形成されている。
【００４７】
鉤部４３の形状は、鉤部４２と同じである。鉤部４３は、鉤部４２と対になるように、鉤部４３の第二制限部と鉤部４２の第二制限部とで、ＰＣＢ２０をＹ方向に挟み込むように配置されている。本実施の形態では、鉤部４３は、板状部材４１と一体に形成されている。
【００４８】
板バネ部５０は、板状部材４１の一部に形成されている。
【００４９】
より具体的には、板バネ部５０は、板バネ本体部５１と、支持領域５２と、開口部５３とを有する。
【００５０】
板バネ本体部５１は、ＰＣＢ２０が取り付けられる側の表面に、ＰＣＢ２０を保持するために、ＰＣＢ２０に接して鉤部４２および４３の第一制限部にＰＣＢ２０を押し付ける突出部５４を備えている。本実施の形態では、突出部５４は、図３〜図５に示すように、半球状に形成されている。さらに、板バネ本体部５１は、鉤部４２の第一制限部を構成する面と、突出部５４のＰＣＢ２０に接する部分との距離は、ＰＣＢ２０の厚さよりも短く設定されている。
【００５１】
板バネ本体部５１は、本実施の形態では、長方形状の領域に設定されている。
【００５２】
また、板バネ本体部５１は、図５に示すように、厚さｈ１が、板状部材４１の厚さｈ２よりも薄くなっている。これにより、板バネ本体部５１は、支持領域５２とは逆の端部が、Ｚ方向の逆方向（およびＺ方向）に揺動しやすくなっている。
【００５３】
支持領域５２は、板バネ本体部５１の周囲の一部に設定された領域であり、板バネ本体部５１を基板保持部４０に支持させるように機能する。本実施の形態では、長方形状の板バネ本体部５１の周囲のうち、１つの長辺を含む領域に設定されている。
【００５４】
開口部５３は、板状部材４１の領域のうち、支持領域５２を除く板バネ本体部５１の周囲に、スリット状に形成されている。本実施の形態では、開口部５３は、長方形状の板バネ本体部５１の周囲のうち、支持領域５２を構成する長辺を除く３辺の外側の板状部材４１の領域に形成されている。言い換えると、開口部５３は、長方形状の板バネ本体部５１の３方向を囲むように形成されている。
【００５５】
［１−３．まとめ等］
本実施の形態の基板保持部４０は、上述した板バネ部５０を備えることにより、緩やかにＰＣＢ２０を保持することができる。
【００５６】
具体的には、基板保持部４０にＰＣＢ２０を保持させると、突出部５４がＰＣＢ２０によりＺ方向とは逆の方向に押さえられ、支持領域５２を支点として、板バネ本体部５１がＺ方向とは逆の方向に撓むことになる。板バネ部５０の復元力により、ＰＣＢ２０は、鉤部４２の第一制限部に押し付けられる。
【００５７】
本実施の形態の基板保持部４０は、板バネ部５０の復元力を利用して緩やかにＰＣＢ２０を保持する。このため、液晶ディスプレイ１０が振動し、一定以上のＺ方向およびその逆方向の力が加わった場合、ＰＣＢ２０はある程度、Ｚ方向およびその逆方向に移動することが可能になる。これにより、ＣＯＦ３０とＰＣＢ２０との接続部分が破断するのを、より良好に防止できる。
【００５８】
さらに、本実施の形態では、板バネ部５０の突出部５４が半球状に形成されているため、突出部５４とＰＣＢ２０とは点接触している。すなわち、本実施の形態では、突出部５４とＰＣＢ２０との接触面の面積を小さくすることができる。これにより、ＰＣＢ２０がＸ方向およびＹ方向に振動した場合でも、基板保持部４０とＰＣＢ２０との接触面積が小さいため、ＰＣＢ２０を緩やかに保持することができ、ＣＯＦ３０とＰＣＢ２０との接続部分が破断するのを、より良好に防止できる。
【００５９】
（実施の形態２）
実施の形態２の表示装置について、図６を元に説明する。
【００６０】
なお、本実施の形態では、表示装置が、実施の形態１と同様に、液晶ディスプレイである場合を例に説明する。また、本実施の形態では、実施の形態１とは、基板保持部４０の板バネ部の構成が異なる場合について説明する。
【００６１】
なお、液晶ディスプレイ１０の構成は、基板保持部４０の板バネ部の形状を除き、実施の形態１と同じである。
【００６２】
［２−１．基板保持部の構成］
本実施の形態の基板保持部４０の構成について、簡単に説明する。基板保持部４０は、実施の形態１と同様に、板状部材４１を用いて構成され、鉤部４２および４３と、板バネ部６０とを備えている。
【００６３】
なお、鉤部４２および４３の構成は、実施の形態１と同じである。
【００６４】
板バネ部６０は、実施の形態１と同様に、板状部材４１の一部に形成されている。
【００６５】
板バネ部６０は、板バネ本体部６１と、支持領域６２と、開口部６３とを有する。
【００６６】
板バネ本体部６１は、ＰＣＢ２０が取り付けられる側の表面に、ＰＣＢ２０を保持するために、ＰＣＢ２０に接して鉤部４２および４３の第一制限部にＰＣＢ２０を押し付ける突出部６４を備えている。なお、当該突出部６４は、図６に示すように、錐体状に形成されている。さらに、板バネ本体部６１は、鉤部４２の第一制限部を構成する面と、突出部６４のＰＣＢ２０に接する面との距離は、ＰＣＢ２０の厚さよりも短く設定されている。
【００６７】
板バネ本体部６１は、本実施の形態では、長方形状の領域に設定されている。
【００６８】
また、板バネ本体部６１は、図示しないが、実施の形態１と同様に、厚さｈ１が、板状部材４１の厚さｈ２よりも薄くなっている。これにより、板バネ本体部６１は、支持領域６２とは逆の端部が、Ｚ方向の逆方向（およびＺ方向）に揺動しやすくなっている。
【００６９】
支持領域６２は、板バネ本体部６１の周囲の一部に設定された領域であり、板バネ本体部６１を基板保持部４０に支持させるように機能する。支持領域６２は、本実施の形態では、２つの長方形状の領域６２ａおよび６２ｂで構成されている。
【００７０】
領域６２ａは、板バネ本体部６１の図面上側に設けられている。領域６２ａは、長方形状の細長い第一領域を備えており、当該第一領域の図面右側の先端部分の上側（長辺の一方）に、板状部材４１に接続する第一接続領域が設定されている。さらに、第一領域の図面左側の先端部分の下側（長辺の他方）に、板バネ本体部６１に接続する第二接続領域が設定されている。
【００７１】
領域６２ｂは、領域６２ａと対になるように、板バネ本体部６１の図面下側に設けられている。領域６２ｂは、領域６２ａと同様に、長方形状の細長い第一領域を備えており、当該第一領域の図面右側の先端部分の下側（長辺の一方）に、板状部材４１に接続する第一接続領域が設定されている。さらに、第一領域の図面左側の先端部分の上側（長辺の他方）に、板バネ本体部６１に接続する第二接続領域が設定されている。
【００７２】
開口部６３は、支持領域６２との接続部分を除く板バネ本体部６１の周囲の板状部材の領域に形成されている。
【００７３】
［２−３．まとめ等］
本実施の形態の基板保持部４０は、上述した板バネ部６０を備えることにより、緩やかにＰＣＢ２０を保持することができる。
【００７４】
具体的には、基板保持部４０にＰＣＢ２０を保持させると、突出部６４がＰＣＢ２０によりＺ方向とは逆の方向に押さえられ、領域６２ａおよび６２ｂと板状部材４１とを接続する第一接続領域を支点として、板バネ本体部６１がＺ方向とは逆の方向に撓むことになる。板バネ部６０の復元力により、ＰＣＢ２０は、鉤部４２の第一制限部に押し付けられる。
【００７５】
本実施の形態の基板保持部４０は、板バネ部６０の復元力を利用して緩やかにＰＣＢ２０を保持する。このため、液晶ディスプレイ１０が振動し、一定以上のＺ方向およびその逆方向の力が加わった場合、ＰＣＢ２０はある程度、Ｚ方向およびその逆方向に移動することが可能になる。これにより、ＣＯＦ３０とＰＣＢ２０との接続部分が破断するのを、より良好に防止できる。
【００７６】
さらに、本実施の形態では、板バネ部６０の突出部６４が錐体状に形成されているため、突出部５４とＰＣＢ２０とは、ほぼ点接触している。すなわち、本実施の形態では、実施の形態１と同様に、突出部６４とＰＣＢ２０との接触面の面積を小さくすることができる。これにより、ＰＣＢ２０がＸ方向およびＹ方向に振動した場合でも、基板保持部４０とＰＣＢ２０との接触面積が小さいため、ＰＣＢ２０を緩やかに保持することができ、ＣＯＦ３０とＰＣＢ２０との接続部分が破断するのを、より良好に防止できる。
【００７７】
（別実施の形態）
以上、本発明の実施の形態に係る表示装置について説明したが、本発明は、この実施の形態に限定されるものではない。
【００７８】
（１）例えば、実施の形態１および実施の形態２では、板バネ部の板バネ本体部の形状は、長方形状であったが、これに限るものではない。
【００７９】
図７に示すように、板バネ本体部の形状は、円形であってもよい。図７に示す板バネ部７０は、円形の板バネ本体部７１と、円形の一部（円周の１／４程度）に設定された支持領域７２と、円弧状（円周の３／４程度）のスリットで構成される開口部７３と、半球状の突出部７４とを備えている。
【００８０】
板バネ本体部の形状は、多角形であっても良いし、多角形および円形等を組み合わせた形状であっても良い。なお、開口部の形状は、スリット状である必要はない。例えば、板バネ本体部の形状が円形（開口部の内側の形状が円形）である場合において、開口部の外側の形状が長方形状であってもよいし、その逆であってもよい。
【００８１】
（２）実施の形態１および実施の形態２では、基板保持部４０に、１つの板バネ部を設ける場合について説明したが、これに限るものではない。ＰＣＢ２０（基板）の大きさあるいは形状等に応じて、複数の板バネ部を設けても良い。
【００８２】
（３）実施の形態１および実施の形態２では、１つの板バネ部に、１つの突出部を設ける場合について説明したが、これに限るものではない。板バネ本体部の大きさあるいは形状等に応じて、１つの板バネ部に、複数の突出部を設けるように構成しても良い。
【００８３】
（４）実施の形態１および実施の形態２では、基板保持部４０は、鉤部４２および４３（第一制限部および第二制限部）を備えているが、これに限るものではない。例えば、鉤部の一方が、第一制限部を備えない構成であっても良い。
【００８４】
また、実施の形態１および実施の形態２では、では、第一制限部および第二制限部は、板状部材と一体になるように形成したが、これに限るものではない。
【００８５】
なお、実施の形態１および実施の形態２において、基板保持部４０に、ＰＣＢ２０のＸ方向への移動を制限する第三制限部を設けても良い。
【００８６】
（５）さらに、上記実施の形態及び上記変形例をそれぞれ組み合わせるとしても良い。
【００８７】
例えば、実施の形態１の板バネ部５０の突出部５４の形状を、実施の形態２のように、錐体状の形状としてもよい。あるいは、実施の形態２の板バネ部６０の突出部６４の形状を、実施の形態１のように、半球状としても良い。突出部の形状は、任意であり、ＰＣＢ２０に点接触する形状とすることができる。
【産業上の利用可能性】
【００８８】
本発明は、液晶ディスプレイ等、基板を保持する基板保持部を備える表示装置に有用である。
【符号の説明】
【００８９】
１０、１００  液晶ディスプレイ
１１、１０１  リアフレーム
１２、１０２  蓋部
２０  ＰＣＢ
３０  ＣＯＦ
４０、１４０  基板保持部
４１、１４１  板状部材
４２、４３、１４２、１４３  鉤部
５０、６０、７０  板バネ部
５１、６１、７１  板バネ本体部
５２、６２、７２  支持領域
５３、６３、７３  開口部
５４、６４、７４  突出部
６２ａ、６２ｂ  領域
１０３  ガスケット
【図１】
2014202830.tif 000003
【図２】
2014202830.tif 000004
【図３】
2014202830.tif 000005
【図４】
2014202830.tif 000006
【図５】
2014202830.tif 000007
【図６】
2014202830.tif 000008
【図７】
2014202830.tif 000009
【図８】
2014202830.tif 000010
【図９】
2014202830.tif 000011
【図１０】
2014202830.tif 000012